(57)【要約】【課題】開封道具の助けなく、前記バッグの制御された開封を容易に行うことができることである。【解決手段】フレキシブルな材料で構成された熱融着バッグ（２）からなる流動性製品のための包装体は、内容物が充填された状態において、互いに平坦である２つの広い面の部分（４，５）と、両側縁で内側に折れ曲がり、その側面折目の間にある狭い面の部分とにより形成された平坦である１つの端部（３）を有している。一方の側面折目領域（６）が一方の広い面の部分（４）に接しており、他方の側面折目領域（７）が他方の広い面の部分（５）に接しており、バッグの端部（３）は、バッグの長手方向の軸を横切る方向に実質的に延設したシール接着により封着されている。そして側面折目領域（６，７）のシール接着（８）が、各側面折目領域とこれに隣接する広い面の部分（４又は５）との間にだけ設けられている。【選択図】図１
2007509822.tif 000002
【特許請求の範囲】
【請求項１】
内容物が充填されたとき、互いに平坦である２つの広い面の部分と、両側縁で内側に折れ曲がり、その側面折目の間にある狭い面の部分とにより形成された平坦である１つの端部を有する、フレキシブルな材料で構成された筒状のバッグからなる流動性製品のための包装体であって、一方の側面折目が一方の広い面の部分に隣接し、他方の側面折目が他方の広い面の部分に隣接しており、前記バッグの端部は前記バッグの長手方向の軸を横切る方向に実質的に延びるシール接着により封着されている包装体において、
前記側面折目（６．７）の領域の各シール接着（８）は、それぞれの側面折目（６，７個々に）と隣接する広い面の部分（４，５個々に）との間にだけ設けられている包装体。
【請求項２】
互いに対向する前記側面折目（６，７）の領域の前記狭い面の部分には、非接着被膜がそれぞれ形成されている請求項１に記載の包装体。
【請求項３】
前記筒状バッグ（２）の内側は、少なくともシール接着（８）の領域において、剥離可能な表面を有するよう構成された請求項１又は２に記載の包装体。
【請求項４】
前記筒状バッグ（２）は、ＯＰＰとＰＥの共押出成形された合成フィルムで構成された請求項１乃至３のいずれか一項に記載の包装体。
【請求項５】
前記剥離可能な表面が、例えばポリブチレンの変更された混合物でＰＥのシール層から形成された請求項３又は４に記載の包装体。
【請求項６】
前記シール接着（８）は前記バッグの端部の端（３）からオフセットした位置に形成された請求項１乃至５のいずれか一項に記載の包装体。
【請求項７】
前記バッグの端部（３）が折り返されて、前記バッグの外面に付着された請求項１乃至６のいずれか一項に記載の包装体。
【発明の詳細な説明】
【技術分野】
【０００１】
本発明は、内容物が充填されたとき、互いに平坦である２つの広い面の部分と、両側縁で内側に折れ曲がり、その側面折目の間にある狭い面の部分とにより形成された平坦である１つの端部を有するフレキシブルな材料で構成された筒状のバッグからなる流動性製品のための包装体であって、一方の側面折目が一方の広い面の部分に隣接しており、他方の側面折目の領域が他方の広い面の部分に隣接しており、このバッグの端部は、バッグの長手方向の軸を横切る方向に実質的に延設したシール接着により封着されている。
【背景技術】
【０００２】
包装バッグのこれらの形式は、例えば洗濯粉のための入れ物として用いられており、特に、詰め替え用包装体、例えば顧客が筒状バッグを開封して、内容物、即ち洗濯粉を長期使用の容器に移し替えるバッグとして用いられる。空となったバッグは、小さく折り畳まれ、邪魔とならないよう片付けられる。
【０００３】
この形式で知られた包装体としては、例えば、出願人からの例として、連続上部接着シームにより、包装体の上側部分がシールされているものがある。この連続上部接着シームは、広い面の部分の端部と、狭い面の部分の内側に折れ曲がった側面折目の端部との両方を互いに接着するものである。したがって、上側接着部分の両端領域は、それぞれ４層であるが、上側接着部分の中間領域は２層である。即ち広い面の部分が互いに接着されているだけの構造である。その結果、道具を使用することなく包装体を開けることは、事実上不可能である。消費者が道具を使用することなく、２層シールの部分である側面折目の間にある中間領域を引っ張ることにより開封することは可能ではある。しかし、包装体を引っ張って開けることにより、２層と４層との間の接着部分の変わり目で破れてしまう。このような破れにおける裂け目は、バッグの底の方向に向かって不規則に大きく延びていく。したがって、このような開封の仕方は内容物をぶちまけるおそれがあるため、詰め替え用包装体においては道具、例えば挟みを用いて開封しなければならない。このため、消費者に注意を喚起するため、開封のために挟みを使用することを記載したラベルを包装体に貼り付ける必要がある。
【特許文献１】国際公開第０３／０１００６７号パンフレット
【特許文献２】欧州特許第１１６３１６６号明細書
【特許文献３】欧州特許出願公開第０３４３６２９号明細書
【発明の開示】
【発明が解決しようとする課題】
【０００４】
バッグの外面側がシール接着によりそれぞれシールされている包装バッグは、国際公開第０３／０１００６７号パンフレットにより知られており、このシール接着は中間領域の２層部分と両端領域の４層部分に形成されている。この包装バッグにおいては、道具を使用することなく、そのようなバッグをできるだけ容易に開封できるように、上部シール接着からオフセットした（ずれた）位置に破れやすいライン、例えば広い面の部分の該当領域にミシン目を形成している。しかし、そのような破れやすいラインは、例えば搬送中や製品の取扱中に望まないのに開封されてしまうという特有の危険をもたらすおそれがある。
【０００５】
欧州特許第１１６３１６６号明細書により知られている包装バッグは、両端領域が４層であり、中間領域が２層である上部シール接着によりシールされている。バッグの開封を容易にするため、シール接着は、端部側に取手部分を形成するようにバッグの端部からオフセットした（ずれた）位置に配置されており、内側に向かって凸状となるよう形成されている。
【０００６】
最後に、三角形状の連続２層シール接着でシールされた包装バッグは、欧州特許出願公開第０３４３６２９号明細書により知られている。互いにシールされたフィルムの該当する領域には、道具を使用しないで簡単に開封できるように、剥離可能な被膜が施されている。しかし、この包装バッグは如何なる折れ曲がった側面も有していない構造である。
【０００７】
本発明の目的は、開封道具を使用することなく、この包装類の制御された開封を容易に行うことを可能とすることである。
【０００８】
本発明によれば、上記の目的は、それぞれの側面折目とそれに隣接する広い面の部分との間だけの側面折目の領域にシール接着を施すことにより、導入部分で述べた形式の包装体のために達成されるものである。
【課題を解決するための手段】
【０００９】
前述の従来の形式の包装類と異なり、本願に係る包装体は、折りたたまれた側面折目同士は互いにシール接着されておらず、側面折目に隣接する広い面の部分とだけシール接着されているため、バッグの端部の領域に４層シール接着を有していない構造である。本発明の包装体によれば、道具を用いることなく、そして制御できない引き裂きという危険を伴う行為を行うことなく、包装体を問題なく開封することが可能となる。
【００１０】
包装体がシールされるとき、それぞれの側面折目同士がシール接着されることを確実に防止するため、互いに対向する側面折目における狭い面の部分には、非接着被膜がそれぞれ形成されている。
【００１１】
さらに容易に開封できるように、筒状バッグの内側、少なくともシール接着の領域において、剥離可能な表面を有するよう形成されている。
【００１２】
筒状バッグは、ＯＰＰ（配向ポリプロピレン）とＰＥ（ポリエチレン）の共押出成形された合成フィルムが好ましい。特に好ましくは、剥離可能な表面が、例えば、ポリブテン等の変更された混合物でＰＥのシール層から形成されるもので実現される。
【００１３】
開封処理を簡単にするために、そして手を使用するための大きな領域を消費者に提供するため、シール接着はバッグ端部のエッジからオフセットした位置（ずれた位置）に形成される。
【００１４】
搬送と保管を改善するために、そして優れた落下強度を確保するために、例えば包装体が棚から落ちた後にシール接着が破裂しないように、好ましくはバッグ端部が折り返されて、バッグの外面に付着される。付着は、例えば、熱い空気を用いて、実施されうる。バッグ端部を折り返すことは、落下により生じた力がシール接着に直接加えられることを防止するものである。そのように発生した力が折り返したバッグ端部に更に多く加えられたとしても、シール接着に対する損傷は確実に防止される。
【発明の効果】
【００１５】
本発明によれば、包装体におけるそれぞれの側面折目領域とそれと隣接する広い面の部分との間の側面折目の領域にシール接着を施すことにより、フレキシブルな材料で構成された筒状のバッグからなる流動性製品のための包装体が、道具を使用することなく、包装類の制御された開封を容易に行うことができる。
【発明を実施するための最良の形態】
【００１６】
流動性製品、例えば洗濯粉等、のための包装体は、図１において符号１により全体を示す。この包装体１は、底面シール（詳細は図示省略）で塞がれた筒状バッグ２で構成されている。筒状バッグ２の上端は、まず開かれて、そこで粉製品が所定位置まで充填され、このときバッグ端部３は平坦な状態を維持している。このバッグ端部３は、互いに対向する２つの広い面の部分４，５と、狭い面の部分とから形成されており、その狭い面の部分は、その両側のエッジで内側に折れており、そして広い面の部分４，５の間にそれぞれが形成されている。このように構成された包装体において、一方の側面折目６は１つの広い面の部分４に隣接しており、他の側面折目７は他の広い面の部分５に隣接している。
【００１７】
充填されたバッグ２、即ち平坦なバッグ端部３は、バッグ２の長手方向の軸を横切る方向に実質的に延設しているシール接着により封止されている。本発明の基本は、側面折目６，７の領域におけるシール接着８がそれぞれの側面折目６又は７と、これと隣接する広い面の部分４又は５との間にだけ設けられていることであり、即ち図１及び図２に示すように、隣接する側面折目６，７の両方の領域がシール接着により互いに接着されていないことである。この方法において、シール接着８の全体の領域が２層だけとなり、４層の領域が存在しないものとなる。
【００１８】
隣接する側面折目６，７の不要なシールを防止するために、非接着被膜が側面折目６，７の互い隣接する領域に少なくとも設けられている。また、製造を簡単にするために、筒状バッグ２の外側全体を非接着被膜で覆っても良い。筒状バッグ２の内側、少なくともシール接着の領域においては、剥離可能な表面を有している。またここにおいても、製造を簡単にするために、筒状バッグ２の内側全体が剥離可能な表面を有する構成が好ましい。したがって、筒状バッグ２は、図６から最も良く識別できるよう、ＯＰＰ（配向ポリプロピレン）とＰＥ（ポリエチレン）の共押出成形された複合フィルムで構成することが好ましい。図６において、互いに重なっている広い面の部分４，５の２つの領域は、バッグ端部３の領域を示している。共押出成形された複合フィルムは、好ましくは変更された混合物、例えばポリブチレン、この領域は参照符号１０（図６）で示されている、を伴って内側にＰＥ層（ポリエチレン層）を形成して内側から外側までＯＰＰとＰＥで構成されている。２つの共押出成形されたポリエチレン層１１は並んで積層されており、印刷１２はポリエチレン層１１の表面側にそれぞれ形成されている。この印刷１２は、非接着被膜１４により外面が最終的に覆われるＯＰＰ層１３に付されている。
【００１９】
封着された包装体１は、図４に示すように、側面折目６，７の間の領域が互いにシールされていない。また、上端となる縁領域１５において、２つのひらひらするフラップ（縁）が消費者により掴むことができるように、シール接着８はエッジ（上端）からオフセットされた位置（所定距離ずれた位置に）に形成されている。好ましくは、図３に見られるように、バッグ端部３は、折り返されて、そしてバッグ２の外面に固着される。この固着は、例えば熱い空気を用いて熱融着により実施できるものである。この結果、包装体１は十分な落下抵抗を有し、即ちもし包装体１が棚から落下したとしても、そのときにシール接着８に対して実質的に大きな力が作用しないものとなる。
【００２０】
図３に示すような包装体１の搬送及び販売の形態から包装体１を開封するために、バッグ端部３がバッグ外面から外され、そして図４に示された形態に戻される。図５に示すように、消費者は両手で両方の縁領域１５を掴み、両方の縁領域１５を引き離すように引っ張ることにより、バッグ２はシール接着８に沿って、そして道具を使用することなく、互いに剥離可能な表面に沿って、すごく容易に開封することができる。
【００２１】
フィルム状の前述の剥離可能層は、内側のフィルム層１１のための吹込フィルム押出成形に使用されるＰＥペレットにポリイソブチレン添加剤を１０乃至１５％の率で混合して製造される。この製造方法において、内側表面の全てが剥離可能に形成され、このフィルムの引きはがし／分離において、粘着性裂け目が生じるようになる。即ち、互いにシールされた両方のフィルムは実質的に自己分離機能を有する。
【００２２】
シール接着８は、好ましくは、スムーズジョウジオメトリ（滑らかな掴み具幾何学形状）を有する特別のシーリングジョウにより実施される。シーリング温度は、非常に正確な温度窓（誤差３℃）内で好ましくは制御され、好ましいシーリング温度は１４０℃までであることを見つけており、約５Ｎ／１５ｍｍの開封力でシール接着の開封を可能としている。しかし、１５０℃より高くシール接着温度を上昇させると、シール接着強度が約３５Ｎ／１５ｍｍの値に凄く増える。この値は、実際には手でもはや開封できないシール接着であり、同時に、この温度幅は、包装体バッグ２の長手方向と底面における接着（図示なし）を行うのに好ましいシール接着であった。
【図面の簡単な説明】
【００２３】
【図１】図１はシール接着を用いた包装体を示す斜視図である。
【図２】図２は図１の側面図である。
【図３】図３は折り返したバッグ端部を有する包装体を示す斜視図である。
【図４】図４は開封前の封着された包装体を示す斜視図である。
【図５】図５は開封処理を示す図である。
【図６】図６は、包装体の筒状バッグにおいて、互いに層状に形成されたフィルムの２つの領域の層の構成を示す拡大断面図である。
【符号の説明】
【００２４】
１  包装体
２  筒状バッグ
３  バッグ端部
４  広い面の部分
５  広い面の部分
６  側面折目
７  側面折目
８  シール接着
１０  ポリブチレン層
１１  ポリエチレン層
１２  印刷
１３  ＯＰＰ層
１４  非接着被膜
１５  縁領域
【図１】
2007509822.tif 000003
【図２】
2007509822.tif 000004
【図３】
2007509822.tif 000005
【図４】
2007509822.tif 000006
【図５】
2007509822.tif 000007
【図６】
2007509822.tif 000008
【国際調査報告】
2007509822.tif 000009
2007509822.tif 000010
2007509822.tif 000011
2007509822.tif 000012
2007509822.tif 000013
2007509822.tif 000014